(57)【要約】【課題】  印刷待ち時間において、ゲーム以外の手法により、利用者に対し退屈感を与えないようにすること。【解決手段】  被写体静止画像を撮影する前に撮影した被写体動画像と、背景画像、前景画像の少なくとも一方とを、合成したプレビュー用の合成動画像を記憶しておき、この記憶した合成動画像を、合成静止画像を印刷出力する際の待ち時間（印刷待ち時間）に表示する【選択図】      図８
2007013858.tif 000002
【特許請求の範囲】
【請求項１】
被写体を撮影する撮影手段と、撮影した被写体の静止画像を表示する表示手段と、被写体の静止画像に対して落書き操作などの画像編集操作を行える入力手段と、落書き画像などの編集用画像と前記被写体の静止画像とを合成する画像処理手段と、合成された合成静止画像を印刷出力する印刷出力手段とを、備えた写真シール作成装置において、
被写体静止画像を撮影する前に前記撮影手段で撮影した被写体動画像と、背景画像、前景画像の少なくとも一方とを、合成したプレビュー用の合成動画像を記憶する手段と、
合成静止画像を印刷出力する際の待ち時間に、前記記憶した合成動画像を前記表示手段上に表示させる手段とを、
有することを特徴とする写真シール作成装置。
【請求項２】
請求項１記載の写真シール作成装置において、
前記プレビュー用の合成動画像と同期させて、被写体静止画像を撮影する前の撮影室内の音声を記憶する手段と、
合成静止画像を印刷出力する際の待ち時間に、前記した合成動画像の表示と同期させて前記記憶した音声を出力可能な手段とを、
有することを特徴とする写真シール作成装置。
【発明の詳細な説明】
【技術分野】
【０００１】
本発明は、遊技場、遊園地といったアミューズメント施設などに設置され、被写体の静止画像と、落書き画像（落書き線描画像や各種スタンプ画像）などといった編集用画像との合成画像を、シール紙に印刷して出力する、写真シール作成装置に関するものである。
【背景技術】
【０００２】
従来、画像プリント作成装置あるいは写真シール自販機などとも呼ばれる写真シール作成装置は、利用者である被写体をデジタルカメラで撮影し、その撮影画像（被写体の静止画像）と落書き画像とを（あるいは、被写体画像と、利用者が予め選択していた前景画像や背景画像（フレーム画像）と、落書き画像とを）合成した合成画像を、シール紙に印刷して出力する装置である。利用者が行う落書き操作では、表示画面上に落書き用の複数のキャラクタ画像を表示させ、この中から任意の落書き用画像を利用者に選択させて、その選択した落書き用画像を任意の位置に配置させたり、利用者に任意の線描などを行わせて、これにより、利用者の所望するあるいは好みに合った落書き画像を生成する。
【０００３】
上記の落書き操作等のためにタッチペンを設け、それを使って利用者が撮影画像に好みの落書き編集を行える機能は、写真シール作成装置ではほぼ標準装備化されていて、このように落書き編集を行える機能をもつ写真シール作成装置は公知である（例えば、特許文献１参照）。
【特許文献１】特開２００２−３０４６６９号公報
【発明の開示】
【発明が解決しようとする課題】
【０００４】
写真シール作成装置の利用者は若い女性が大半を占めており、このような若い女性は、写真シール作成装置の利用回数が多く、落書き編集の操作にも慣れており、落書きプレイ時間を大いに楽しんでいる。また、撮影時には、前景画像や背景画像と被写体動画像とを合成するなどしたプレビュー用の合成動画像を見ながら、仲間とポーズを決めるなどして、撮影プレイ時間も大いに楽しんでいる。
【０００５】
ところで、写真シール作成装置では、利用者が印刷の指示を行ってから、シール紙に印刷が完了して印刷済みの写真シール紙が排紙されるまでの間に、印刷の出来具合を高めるなどの理由から、ある程度の待ち時間（印刷待ち時間）が生じてしまうことは否めない。
【０００６】
顧客満足度の観点からみると、作成された写真シールの出来具合はもちろんのこと、印刷待ち時間に退屈感を与えないように配慮することも重要である。つまり、印刷に時間がかかった場合、初めのうちは写真が出てくるのを楽しみにしていた利用者も、次第に不満を漏らすようになる。また、仮にシールの写り具合を最高度までに高めたとしても、利用者がその作成されたシールを気に入るか否かは、個々によって異なる。このように、印刷待ち時間に配慮を払わないと、利用者に悪いイメージを与えてしまう要因となってしまう虞がある。
【０００７】
そこで、顧客満足度を下げないようにするため、印刷待ち時間中に利用者にゲームを楽しんでもらうことで、利用者に印刷待ちの退屈な時間を有効に使ってもらい、また、そのゲームをクリアした際のボーナス（もう一度撮影が可能になるなど）機能を有する機種が存在する。このゲームは、利用者がゲーム操作方法などの解説なしで行えるように、できるだけ単純化されるなどの工夫がなされているが、単純化されているが故に、利用者には退屈であったり、また、操作方法がよく判らなかった場合には、使用者は不快感を抱いてしまう虞があると指摘されていた。このため、ゲーム以外の手法で、印刷待ち時間に利用者に退屈感を与えないようにすることが望まれていた。
【０００８】
本発明は上記の点に鑑みなされたもので、その目的とするところは、印刷待ち時間において、ゲーム以外の手法により、利用者に対し退屈感を与えないようにすることにある。
【課題を解決するための手段】
【０００９】
本発明は上記した目的を達成するために、
被写体を撮影する撮影手段と、撮影した被写体の静止画像を表示する表示手段と、被写体の静止画像に対して落書き操作などの画像編集操作を行える入力手段と、落書き画像などの編集用画像と前記被写体の静止画像とを合成する画像処理手段と、合成された合成静止画像を印刷出力する印刷出力手段とを、備えた写真シール作成装置において、
被写体静止画像を撮影する前に前記撮影手段で撮影した被写体動画像と、背景画像、前景画像の少なくとも一方とを、合成したプレビュー用の合成動画像を記憶する手段と、
合成静止画像を印刷出力する際の待ち時間に、前記記憶した合成動画像を前記表示手段上に表示させる手段とを、
有する構成をとる。
【発明の効果】
【００１０】
本発明によれば、被写体静止画像を撮影する前に撮影した被写体動画像と、背景画像、前景画像の少なくとも一方とを、合成したプレビュー用の合成動画像を記憶しておき、この記憶した合成動画像を、合成静止画像を印刷出力する際の待ち時間（印刷待ち時間）に表示するようにしているので、利用者は、自身の撮影風景を第３者の視点で見ることができ、これによって、利用者は印刷待ち時間に退屈感を抱くことがなくなり、以って、顧客満足度の高い自動写真シール作成装置を実現することができる。
【発明を実施するための最良の形態】
【００１１】
以下、本発明の実施の形態を、図面を用いて説明する。図１〜図８は、本発明の一実施形態（以下、本実施形態と記す）による写真シール作成装置に係り、図１は、本実施形態の写真シール作成装置の外観を示す斜視図であり、図２は、図１の写真シール作成装置を矢印Ａ方向から見た側面を示す説明図である。
【００１２】
図１に示すように、本実施形態の写真シール作成装置の外形は、箱状の筐体を呈するものとなっており、この筐体の片側部が開口したものに形成されて、ここから利用者が出入りできる構造となっており、開口の部分は遮光性素材を用いたカーテンで仕切られるようになっている。なお、筐体の両側が開口された構造などであつても構わない。
【００１３】
写真シール作成装置の筐体内には、撮影対象の被写体を収容可能な空間である撮影室が設けられており、本実施形態では、撮影室に入室した被写体の背面側から照明光を照射する背面照明手段が設けられている。
【００１４】
本実施形態の写真シール作成装置は、本体装置１と、その前面側が開放された背面側サブ筐体２と、床板３と、屋根部４とを含んで構成され、本体装置１と背面側サブ筐体２とは、所定間隔の距離を隔てて配置されている。本体装置１と背面側サブ筐体２との間の空間は、複数もしくは単体の被写体（利用者）が背面側サブ筐体２内（すなわち、撮影室）に出入りできる通路５となっており、本実施形態では、この通路５は編集室としても機能するようになっている。本体装置１と正対する背面側サブ筐体２の奥方側には、図２に示すように、被写体を背面側から照射する背面照明手段２ａが設けられていて、この背面照明手段２ａは、半透明のスクリーン（もしくはアクリル板）２ｂによって、被写体と隔てられてるようになっている。
【００１５】
図３は、本体装置１の外観を示す斜視図であり、図４は、本体装置１をその正面から見た、内部構造を含めて示す説明図である。図４に示すように、本体装置１の正面ほぼ中央には、被写体をプレビュー表示のために動画撮影する、および被写体を静止画撮影するためのデジタルカメラ６（以下、カメラ６と記す）が設置されている。また、本体装置１の上部および左右には、ストロボ１１Ａ〜１１Ｃが設置されている。このストロボ１１Ａ〜１１Ｃは、カメラ６で被写体を静止画撮影するときのみ発光し、その光の強さにより撮影する画像の明るさを調整可能になっている。
【００１６】
また、本体装置１の上方および左右には、常時点灯し、操作中の利用者の周囲を照らすライト１２Ａ〜１２Ｃが設置されている。また、カメラ６の近傍下方には、被写体を撮影するときに、実際に写っている動画像（プレビュー画像）を確認するための液晶モニタ１５が設置されている。この液晶モニタ１５によって、利用者（被写体）は、撮影のときには、液晶モニタ１５に表示される自分の動画像を見ながら、立つ位置やポーズ、顔の位置などを調整、確認することができる。
【００１７】
本体装置１の胴部付近には、操作画面や進行状況、ガイダンスなどを表示するタッチパネル付きディスプレイ７が設けられている。利用者が入力手段の一部を構成するタッチペン１６でタッチパネル面のアイコンなどをタッチすると、タッチパネル付きディスプレイ７はその位置を検出し、接触位置に表示したアイコンに割り当てられた機能または動作を開始する。
【００１８】
この他に、スピーカ１７、マイク１９、スイッチパネル８、課金装置９、ストロボ用電源１０、パーソナルコンピュータ１３（以下、ＰＣ１３と記す）、プリンタ１４、ＵＰＳ１８、キャスター１９が設けられている。
【００１９】
スピーカ１７は、操作中の音楽やガイダンスの音声を出力する。マイク１９は、撮影室内の音声を集音し、音声信号に変換する。課金装置９は、利用料金の投入を受け付け、収納する。この課金装置９は、無料設定時を考慮し、取り外し可能なものとなっている。ストロボ用電源１０は、ストロボ１１Ａ〜１１Ｃに対して利用者が選択した明るさに応じた電力を供給する。
【００２０】
ＰＣ１３は、本体装置１全体（または写真シール作成装置全体）の統括制御を司るもので、このＰＣ１３は、撮影制御の機能、撮影した被写体画像を加工または編集し利用者に落書き機能を提供する画像編集処理の機能、印刷制御の機能等々を具備する。
【００２１】
プリンタ１４は、画像を所定の用紙に印刷して出力する。ＵＰＳ１８は、停電時にも電源供給をする無停電電源装置である。キャスター２０は、写真シール作成装置の移動時に使用し、本体装置１の位置決定後はロックする。スイッチパネル８は、テスト用のスイッチやボリュームスイッチを固定したパネルである。
【００２２】
図５は、本体装置１の機能構成を示すブロック図である。図５に示すように、ＰＣ１３内にはＣＰＵ（中央処理装置）５０１、メモリ５０２、Ｉ／Ｏ制御部５０３、音声出力部５０４、パターンメモリ５０５、画像処理部５０６、画像出力部５０７、データ記憶部５０８などが備えられている。ＣＰＵ５０１は、ＰＣ１３内の各構成要素と接続されていて、これらのＰＣ１３内の各構成要素と協働して、各種の処理や制御を行う。また、ＣＰＵ５０１は、Ｉ／Ｏ制御部５０３や画像出力部５０７や音声出力部５０４に接続された構成要素についての制御や、データの受け付けや、データの出力を行う。
【００２３】
ＣＰＵ５０１は、画像データや音声データなどの記憶／取り出し制御、各種の画像処理、画像表示制御、音声出力制御、プリンタ出力制御等々の各種の制御／処理を行う。
【００２４】
メモリ５０２には、ＣＰＵ５０１に発する命令、あるいは、合成動画像生成処理や被写体静止画像補正処理や合成静止画像生成処理や印刷処理などの制御手順となる命令群等が、プログラムとして記憶されている。また、ＣＰＵ５０１の処理データも、ワークデータとして一時的に記憶する。
【００２５】
音声出力部５０４は、音声再生用のスピーカ１７に接続し、利用者に対してガイドや音楽、効果音などを再生し、また、印刷待ち時間に、撮影前（静止画の撮影前）に撮影室内で録音した音声を再生する。
【００２６】
パターンメモリ５０５には、被写体の画像と重ね合せる合成用の画像データ（前景動画像データ、背景動画像データ、落書き編集用の各種画像データなど）や、タッチパネル付きディスプレイ７に表示する操作メニュー・ガイダンスのデータや、スピーカ１７に出力させるガイダンスの音声データ等々の、各種のデータが記憶されている。
【００２７】
データ記憶部５０８には、カメラ６から取り込んだ画像データや、マイク１９から取り込んだ音声データが記憶されるほか、撮影前（静止画の撮影前）に利用者に見せるプレビュー用の合成動画画像や、撮影した被写体静止画の補正画像や、補正済みの被写体静止画像とフレーム画像（前景画像や背景画像）との合成静止画像や、この合成静止画像に対して利用者が施した落書きによる結果である落書き画像と補正済みの被写体静止画とフレーム画像（前景画像や背景画像）との合成静止画像が記憶される。
【００２８】
画像処理部５０６は、ＣＰＵ５０１と協働して、データ記憶部５０８に記憶させた被写体の静止画像データに対し、画像の歪み、色、輝度、濃度の補正を行う処理や、この補正済みの被写体静止画像とデータ記憶部５０５に用意してある合成用画像とを合成・編集するための処理等々の、各種の画像処理を行う。
【００２９】
画像出力部５０７は、タッチパネル付きディスプレイ７およびプリンタ１４に接続している。タッチパネル付きディスプレイ７は、利用者に対する説明や操作のための画像や、撮影した被写体の補正済みの静止画像とフレーム画像との合成静止画像や、編集処理中あるいは編集処理結果の合成画像などを表示する。また、タッチパネル付きディスプレイ７は、印刷待ち時間に、撮影前（静止画の撮影前）に撮影・合成して記憶したプレビュー用の合成動画像を表示する。プリンタ１４は、撮影して編集・合成して、レイアウトされた画像をシール紙（もしくは葉書など）に印刷する。
【００３０】
Ｉ／Ｏ制御部５０３は、デジタルカメラＩ／Ｆ（インタフェース）５１１に接続し、カメラ６で撮影した画像データや、マイク１９から入力された音声データを受け付ける。
【００３１】
また、Ｉ／Ｏ制御部５０３は、タッチパネル付きディスプレイ７に接続し、タッチパネル付きディスプレイ７のタッチパネル７ａからの操作データを受け付ける。タッチパネル７ａは、タッチパネル付きディスプレイ７の表示画面表面に設けられた入力パネルであり、例えば、タッチパネル付きディスプレイ７の表示画面に操作メニューを表示し、種々の選択条件をタッチペン１６によって入力するために使用するものである。
【００３２】
また、Ｉ／Ｏ制御部５０３は、課金装置９に接続し、コインの投入の有無や、不正コインの投入などを、ＣＰＵ５０１からの制御に従って検知する。すなわち、投入されたコインの形状と重さを計測し、真正コインではない疑いのあるコインに対し、さらにコインの表裏の模様を判定し、投入されたコインが真正コインか、不正コインや偽造コインであるかどうかを判別する。また、規定の料金のコインが投入されたかどうかを判定する。
【００３３】
また、Ｉ／Ｏ制御部５０３は、ストロボ用電源１０に接続し、ストロボ用電源１０を制御して、ストロボ１１Ａ〜Ｃに対して電圧を加え、発光面全体を一様に発光させる。
【００３４】
図６は、本実施形態の写真シール作成装置における処理の流れの概略を示すフローチャートである。
【００３５】
管理側の操作として、まず、電源を投入する。電源が投入されると、機器動作確認として蛍光灯照明機器の点滅確認、ＰＣ１３の起動確認が行われ、カメラ撮影準備としてシャッタースピード、絞りの設定が行われ、さらにプリンタ１４の印刷準備、ウオームアップが開始される（ステップＳ６０１）。ステップＳ６０１での初期設定が終わると、顧客操作を受け入れるためのデモが開始され、写真シール作成装置の紹介、操作手順のデモが行われる（ステップＳ６０２）。
【００３６】
実際にユーザが装置を使い、撮影を開始するために規定枚数のコインが投入されると、撮影を行うための処理手順がタッチパネル付きディスプレイ７上に表示される。ここでは、図示していないが、利用者に「ワイド」、「スリム」、「アップ」のうちのどの撮影条件で撮影するのかを選択する画面が表示され、利用者が「ワイド」、「スリム」、「アップ」のうちの何れかを選択すると（ステップＳ６０３）、次に、本実施形態では、どのような種類の前景動画像や背景動画像を選択するための画面が表示され、これにより、利用者は撮影に用いる前景動画像および背景動画像を選択する（ステップＳ６０４）。前景動画像や背景動画像の選択手法は任意であるが、本実施形態では、例えば、互いに関連付けられた画像データである前景動画像と背景動画像の組を複数用意しておき、この組の１つをストーリー名で選択することで、前景動画像および背景動画像を選択する。なお、前景動画像と背景動画像を別個に選択できるようにしたり、前景動画像と背景動画像のうちの何れか一方のみを選択するようにしてもよい。あるいはまた、前景動画像や背景動画像に代えて、前景静止画像や背景静止画像を用意し、前景静止画像と背景静止画像の両者または何れか一方を選択するようにしてもよい。
【００３７】
次に、ステップＳ６０４で選択されたストーリー名の前景動画像に対して、前景動画マスク化の処理を行う（ステップＳ６０５）。前景動画像の画像データには、透明にしたい部分と被写体の前に出したい部分とを示す属性データが含まれており、この属性データを用いて、前景動画像の所要部分を透明にする切り分け処理により、前景動画像のマスク化を行う。
【００３８】
本実施形態では、撮影に際しては、カメラ６で取り込んだ被写体動画像と、利用者が選択した前景動画像および背景動画像とを合成処理し、この生成したプレビュー用の合成動画像を液晶モニタ１５上に表示すると共に、データ記憶部５０８に記憶する（ステップＳ６０６）。つまり、実際にカメラ６で取り込んだ被写体動画像の背景部をクロマキー処理により背景動画像に置き換えると共に、このように画像処理した動画像上に上記のマスク化された前景動画像を貼り付ける処理を行い、これにより、被写体動画像と前景動画像と背景動画像とを合成したプレビュー用の合成動画像を生成する。なお、このときに使用される被写体動画像には、カメラ６により低解像度で出力される動画像データが用いられ、また、このときに使用される前景動画像および背景動画像も、低解像度にした動画像データが用いられて、これにより画像処理を簡略にして、プレビュー用の合成動画像の生成時間を短くできるようにしている。また、上記のステップＳ６０６では、プレビュー用の合成動画像の記憶と同時に、プレビュー用の合成動画像と同期させて、マイク１７から取り込んだ音声データをデータ記憶部５０８に記憶する。
【００３９】
生成されたプレビュー用の合成動画像が液晶モニタ１５上に表示された状態では、例えば、液晶モニタ１５上には、静止画撮影を行うシャッタータイミングを示すカウントダウン数値とが表示されたり、スピーカ１７からシャッタータイミングを示すカウントダウン音声が出力され、ストロボ１１Ａ〜１１Ｃが発光したタイミングで、カメラ６による被写体の静止画撮影が行われる（ステップＳ６０７）。この静止画の撮影時には、カメラ６からの出力は、前述の低解像度の画像出力ではなく、高解像度の静止画像出力に切り替えられる。
【００４０】
図７は、ステップＳ６０７、ステップＳ６０８での、プレビュー用の合成動画像の生成・表示・記憶および音声の記憶の様子と、静止画撮影の様子を示している。
【００４１】
次に、撮影された被写体静止画像は、画像の歪み、色、輝度、濃度の補正処理と、画像の切り出し処理（所定の画角領域の切り出し処理）とが施される（ステップＳ６０８）。そして、静止画撮影され、補正処理などが施された高解像度の被写体静止画像データは、データ記憶部５０８に記憶される（ステップＳ６０９）。
【００４２】
次に、補正済みの被写体静止画像の大きさを縮小すると共に、この被写体静止画像の静止画撮影タイミンクでの前景および背景の静止画像データを、前景動画像および背景動画像からそれぞれ適宜に抽出・生成処理し、この抽出・生成処理した前景静止画像および背景静止画像を、被写体静止画像の大きさに合わせて縮小して、縮小した被写体静止画像と縮小した前景静止画像と縮小した背景静止画像とを、合成した縮小合成静止画像を生成する（ステップＳ６１０）。このように、画像を縮小する理由は、この時点では利用者がどの画像を印刷するかを決定しておらず、静止画撮影して合成した結果を、タッチパネル付きディスプレイ７の限られた表示領域に、複数枚並べて同時に表示する必要があるためである。
【００４３】
そして、上述したステップＳ６０６からステップＳ６１０までの処理を、例えば３回繰り返し、静止画撮影して、縮小・合成された３枚の縮小合成静止画像は、全てタッチパネル付きディスプレイ７上に、印刷対象候補として並べて表示され、利用者は３枚の縮小合成静止画像のうちから印刷したいものを決定する（ステップＳ６１１）。
【００４４】
このステップＳ６１１で決定された画像は表示用の縮小された縮小合成静止画像であるため、ステップＳ６０９で記憶した当初の大きさの被写体静止画像と、この被写体静止画像に対応するように前景動画像および背景動画像からそれぞれ適宜に抽出・生成処理され、上記の被写体静止画像に対応する大きさの前景静止画像および背景静止画像とを、合成して印刷用の合成静止画像を生成する（ステップＳ６１２）。そして、生成した印刷用の合成静止画像をデータ記憶部５０８に記憶すると共に、タッチパネル付きディスプレイ７上に表示する。
【００４５】
ステップＳ６１２で生成された合成静止画像に対しては、利用者によって、タッチパネル付きディスプレイ７上で任意の落書き操作（落書き編集プレイ）が行われる（ステップＳ６１３）。この利用者が行う落書き操作では、タッチパネル付きディスプレイ７上に落書き用の複数のキャラクタ画像を表示させ、この中から任意のキャラクタ画像を利用者に選択させて、その選択したキャラクタ画像を任意の位置に配置させたり、あるいは、利用者に任意の線描を行わせたり、任意の部分のキャラクタ画像や線描画像の色変えなどを行わせて、これにより、利用者の所望するあるいは好みに合った落書き画像を生成する。そして、ステップＳ６１２で生成された合成静止画像と生成した落書き画像とは、逐次合成処理されて、リアルタイムでタッチパネル付きディスプレイ７上に表示され、また、データ記憶部５０８に逐次書き換えて記憶される。
【００４６】
所定時間が経過すると、あるいは利用者が落書き完了の旨を指示すると、ステップＳ６１４の印刷レイアウトの選択処理に移行する。ステップＳ６１４では、利用者に印刷レイアウトの選択を促すために、印刷結果の複数の雛型をタッチパネル付きディスプレイ７上に表示して、その中から利用者に選択させる。例えば、１６分割または８分割または４分割のシールに印刷にするのかを選択させる。
【００４７】
その後、ステップＳ６１４で選択されたレイアウトで編集した画像を、プリンタ１４で印刷する印刷処理（ステップＳ６１５）に移行し、利用者は、印刷が完了して写真シール紙が排出されるのを待つ。
【００４８】
そして、この印刷が完了して印刷済みの写真シール紙が排紙されるまでの間の待ち時間（印刷待ち時間）には、データ記憶部５０３に記憶しておいた静止画撮影前のプレビュー用の合成動画像を、タッチパネル付きディスプレイ７上に表示すると共に、合成動画像の表示と同期させて、データ記憶部５０３に記憶しておいた静止画撮影前の撮影室内の音声を、スピーカ１７から出力させる（ステップＳ６１６）。
【００４９】
図８は、印刷待ちに時間に表示される撮影風景（プレビュー用の合成動画像）の１例を示している。処理が印刷待ちに入ると、タッチパネル付きディスプレイ７上には、Ｘ回目の撮影風景であることを表すテロップ、および、印刷中のステータスが表示される。その後、撮影風景である合成動画像を表示すると共に、これに同期させて音声を出力する。そして、これを撮影回数だけ繰り返す。印刷が完了すると、印刷が完了したことを表すテロップが表示され、一連の処理が終了する。
【００５０】
以上のように、本実施形態では、被写体静止画像を撮影する前に撮影し、合成した撮影風景（プレビュー用の合成動画像）を、印刷待ち時間に表示すると共に、合わせて撮影の際の音声を再生するようにしているので、利用者は、自身の撮影風景を第３者の視点で見ることができ、また、仲間の撮影時の様子を互いに批評し合ったりすることができ、これによって、利用者は印刷待ち時間に退屈感を抱くことがなくなる。
【００５１】
なお、印刷待ちに時間に表示する撮影風景（プレビュー用の合成動画像）は、利用者の操作によって、スロー送り、コマ送り、ストップ再生、白黒表示、白黒処理したもののネガ・ポジ反転表示、色モードや濃度の変更表示、モザイク処理表示などを、適宜に行えるように構成してもよい。
【図面の簡単な説明】
【００５２】
【図１】本発明の一実施形態に係る写真シール作成装置の外観を示す斜視図である。
【図２】図１の写真シール作成装置を矢印Ａ方向から見た側面を示す説明図である。
【図３】本発明の一実施形態に係る写真シール作成装置における、本体装置の外観を示す斜視図である。
【図４】本発明の一実施形態に係る写真シール作成装置における、本体装置をその正面から見た、内部構造を含めて示す説明図である。
【図５】本発明の一実施形態に係る写真シール作成装置における、機能構成の概略を示すブロック図である。
【図６】本発明の一実施形態に係る写真シール作成装置における、処理の流れの概略を示すフローチャートである。
【図７】本発明の一実施形態に係る写真シール作成装置における、プレビュー用の合成動画像の生成・表示・記憶および音声の記憶の様子と、静止画撮影の様子の１例を示す説明図である。
【図８】本発明の一実施形態に係る写真シール作成装置における、印刷待ちに時間に表示される撮影風景（プレビュー用の合成動画像）の１例を示す説明図である。
【符号の説明】
【００５３】
１  本体装置
２  背面側サブ筐体
３  床板
４  屋根部
５  通路
６  デジタルカメラ（カメラ）
７  タッチパネル付きディスプレイ
７ａ  タッチパネル
８  スイッチパネル
９  課金装置
１０  ストロボ用電源
１１Ａ〜１１Ｃ  ストロボ
１２Ａ〜１２Ｃ  ライト
１３  パーソナルコンピュータ（ＰＣ）
１４  プリンタ
１５  液晶モニタ
１６  タッチペン
１７  スピーカ
１８  ＵＰＳ
１９  マイク
２０  キャスター
５０１  ＣＰＵ（中央処理装置）
５０２  メモリ
５０３  Ｉ／Ｏ制御部
５０４  音声出力部
５０５   パターンメモリ
５０６  画像処理部
５０７  画像出力部
５０８  データ記憶部
５１１  デジタルカメラＩ／Ｆ
【図１】
2007013858.tif 000003
【図２】
2007013858.tif 000004
【図３】
2007013858.tif 000005
【図４】
2007013858.tif 000006
【図５】
2007013858.tif 000007
【図６】
2007013858.tif 000008
【図７】
2007013858.tif 000009
【図８】
2007013858.tif 000010